(57)【要約】　　　（修正有）【課題】アンテナを共通とし、第１の送受信系の送信回路と受信回路、第２の送受信系の送信回路と受信回路を切り換える高周波スイッチモジュールを提供する。【解決手段】アンテナを共用し、通過帯域が異なる複数の送受信系の送信回路、受信回路と前記アンテナとの接続を適宜切り換えるマルチバンド用高周波スイッチモジュールであって、前記アンテナに接続し、前記複数の送受信系に信号を分波する分波回路を有し、前記分波回路に接続し、前記各送受信系のそれぞれに送信系と受信系を切り換えるスイッチ回路を有し、前記分波回路はローパスフィルタ回路とハイパスフィルタ回路を有し、低周波側の送受信系と高周波側の送受信系を分波し、前記スイッチ回路の各々はダイオードと伝送線路を有することを特徴とした。【選択図】　　図１
2004007585.tif 000002
【特許請求の範囲】
【請求項１】
アンテナを共用し、通過帯域が異なる複数の送受信系の送信回路、受信回路と前記アンテナとの接続を適宜切り換えるマルチバンド用高周波スイッチモジュールであって、
前記アンテナに接続され、前記複数の送受信系に信号を分波する分波回路を有し、前記分波回路に接続され、前記各送受信系のそれぞれに送信系と受信系を切り換えるスイッチ回路を有し、
前記分波回路はローパスフィルタ回路とハイパスフィルタ回路を有し、低周波側の送受信系と高周波側の送受信系を分波し、
前記スイッチ回路の各々はダイオードと伝送線路を有し、
前記分波回路のローパスフィルタ回路とハイパスフィルタ回路及び前記スイッチ回路の伝送線路は、電極パターンと誘電体層との積層体内に、前記電極パターンにより構成され、
前記ダイオードは、前記積層体上に配置して構成され、
前記積層体内において、複数の異なる帯域用の全てのスイッチ回路の受信側の伝送線路用の電極パターンは、グランド電極に挟まれた領域に形成され、
前記グランド電極のうち積層方向の上側のグランド電極が形成された誘電体層にはスルーホール電極が形成され、
前記スルーホール電極を介して前記受信側の伝送線路用の電極パターンが前記ダイオードと接続されていることを特徴とするマルチバンド用高周波スイッチモジュール。
【請求項２】
前記高周波側の送信系にローパスフィルタ回路を有し、前記ローパスフィルタ回路はＬＣ回路で構成され、前記積層体内に、前記電極パターンにより構成されていることを特徴とする請求項１記載のマルチバンド用高周波スイッチモジュール。
【請求項３】
前記積層体において、前記分波回路を構成するＬＣ回路と前記送信系のローパスフィルタ回路を構成するＬＣ回路とは、前記積層体の水平方向の別領域に別れて形成されていることを特徴とする請求項２記載のマルチバンド用高周波スイッチモジュール。
【請求項４】
前記積層体の外表面に、前記スイッチ回路の制御端子が形成され、該スイッチ回路制御端子からダイオードに加える電圧により前記ダイオードを制御して、通過帯域の異なる複数の送受信系の送信回路及び受信回路とアンテナとの接続を切り換えることを特徴とする請求項１〜３のいずれかに記載のマルチバンド用高周波スイッチモジュール。
【請求項５】
前記スルーホール電極を介して前記受信側の伝送線路用の電極パターンと接続される前記ダイオードが、送信系に接続されるダイオードであることを特徴とする請求項１〜４のいずれかに記載のマルチバンド用高周波スイッチモジュール。
【発明の詳細な説明】
【０００１】
【発明の属する技術分野】
本発明は、高周波複合部品に関し、複数の送受信系を取り扱う高周波スイッチモジュールに関するものである。
【０００２】
【従来の技術】
デジタル携帯電話などにおいて、アンテナＡＮＴと送信回路ＴＸとの接続及びアンテナＡＮＴと受信回路ＲＸとの接続を切り換えるために、高周波スイッチが用いられている。この高周波スイッチとしては、特開平６−１９７０４０号公報に開示されているものがある。
【０００３】
この従来の高周波スイッチは、送信回路側にアノードが接続されアンテナ側にカソードが接続される第１のダイオード、アンテナと受信回路との間に接続されるストリップライン、および受信回路側にアノードが接続されアース側にカソードが接続される第２のダイオードを含み、ストリップラインは多層基板に内蔵され、第１のダイオード及び第２のダイオードは多層基板上に実装されたものである。
【０００４】
【発明が解決しようとする課題】
近年の携帯電話の普及には、目を見張るものがあり、携帯電話の機能、サービスの向上が図られている。この新たな携帯電話として、デュアルバンド携帯電話の提案がなされている。このデュアルバンド携帯電話は、通常の携帯電話が一つの送受信系のみを取り扱うのに対し、２つの送受信系を取り扱うものである。これにより、利用者は都合の良い送受信系を選択して利用することができるものである。
【０００５】
このデュアルバンド携帯電話において、それぞれの送受信系にそれぞれ専用の回路を構成すれば、機器の大型化、高コスト化を招く。共通部分はできるだけ共通部品を用いることが、機器の小型化、低コスト化に有利となる。
【０００６】
本発明は、アンテナを共通とし、第１の送受信系の送信回路と受信回路、第２の送受信系の送信回路と受信回路を切り換える高周波スイッチモジュールを提供するものであり、また、その高周波スイッチモジュールをワンチップで構成することを目的とするものである。
【０００７】
【課題を解決するための手段】
本発明は、アンテナを共用し、通過帯域が異なる複数の送受信系の送信回路、受信回路と前記アンテナとの接続を適宜切り換えるマルチバンド用高周波スイッチモジュールであって、前記アンテナに接続され、前記複数の送受信系に信号を分波する分波回路を有し、前記分波回路に接続され、前記各送受信系のそれぞれに送信系と受信系を切り換えるスイッチ回路を有し、前記分波回路はローパスフィルタ回路とハイパスフィルタ回路を有し、低周波側の送受信系と高周波側の送受信系を分波し、前記スイッチ回路の各々はダイオードと伝送線路を有し、前記分波回路のローパスフィルタ回路とハイパスフィルタ回路及び前記スイッチ回路の伝送線路は、電極パターンと誘電体層との積層体内に、前記電極パターンにより構成され、前記ダイオードは、前記積層体上に配置して構成され、前記積層体内において、複数の異なる帯域用の全てのスイッチ回路の受信側の伝送線路用の電極パターンは、グランド電極に挟まれた領域に形成され、前記グランド電極のうち積層方向の上側のグランド電極が形成された誘電体層にはスルーホール電極が形成され、前記スルーホール電極を介して前記受信側の伝送線路用の電極パターンが前記ダイオードと接続されているマルチバンド用高周波スイッチモジュールである。
【０００８】
本発明においては、前記高周波側の送信系にローパスフィルタ回路を有し、前記ローパスフィルタ回路はＬＣ回路で構成され、前記積層体内に、前記電極パターンにより構成するのが好ましい。
【０００９】
前記積層体において、前記分波回路を構成するＬＣ回路と前記送信系のローパスフィルタ回路を構成するＬＣ回路とは、前記積層体の水平方向の別領域に別れて形成するのがより好ましい。
【００１０】
そしてマルチバンド用高周波スイッチモジュールは、本発明の前記積層体の外表面に、前記スイッチ回路の制御端子が形成し、該スイッチ回路制御端子からダイオードに加える電圧により前記ダイオードを制御して、通過帯域の異なる複数の送受信系の送信回路及び受信回路とアンテナとの接続を切り換えるマルチバンド用高周波スイッチモジュールである。
【００１１】
また本発明は、電極パターンの形成された誘電体グリーンシートを適宜積層し一体焼成した積層体と、該積層体上に配置されたダイオード、チップコンデンサなどのチップ素子とから構成し、ワンチップ化を達成した高周波スイッチモジュールである。
【００１２】
また本発明は、前記第１のスイッチ回路を構成する伝送線路、前記第２のスイッチ回路を構成する伝送線路、前記分波回路及び／又は前記ローパスフィルタ回路を積層体内に電極パターンにより構成したものである。この電極パターンは、Ａｇを主体とする導電ペーストをスクリーン印刷により、誘電体グリーンシート上に形成したものである。もちろん、Ａｇのみに限定されるものではない。
【００１３】
また本発明は、前記積層体は、アース電極に挟まれた領域に、前記第１及び第２のスイッチ回路用の伝送線路が形成され、該アース電極の上側のさらに上部に、前記分波回路及び／又は前記ローパスフィルタ回路用の容量成分が形成され、さらにその上部に、前記分波回路用及び／又は前記ローパスフィルタ回路用のインダクタンス成分が形成されて構成されている。
【００１４】
【発明の実施の形態】
本発明に係る第１実施例の回路ブロック図を図１に示す。図１において、本発明のスイッチ回路を用いた高周波スイッチモジュール（高周波複合部品）は、破線で囲った部分である。また、この部分をワンチップ化したものである。この高周波スイッチモジュールは、例えば、第１の送受信系としてＧＳＭシステム、第２の送受信系としてＤＣＳ１８００システムの２つのシステムに対応した構成として、デュアルバンド携帯電話のアンテナＡＮＴと、ＧＳＭ系、ＤＣＳ系のそれぞれの送受信回路との振り分けに用いることができる。
【００１５】
この第１実施例は、分波回路をローパスフィルタ回路とノッチフィルタ回路とから構成し、第１の送受信系用にローパスフィルタ回路を、第２の送受信系用にノッチフィルタ回路を用いている。そして、第１の送受信系では、スイッチ回路ＳＷにより、送信回路ＴＸと受信回路ＲＸを切り換えている。また第２の送受信系では、スイッチ回路ＳＷにより、送信回路ＴＸと受信回路ＲＸを切り換え、その送信系に他のローパスフィルタ回路が設けられている。
【００１６】
この第１実施例をワンチップ化するには、誘電体層と電極層とを積層した積層体を用い、該積層体内にスイッチ回路用の伝送線路、分波回路用のインダクタ成分、コンデンサ成分、及びローパスフィルタ回路用のインダクタ成分、コンデンサ成分を構成し、積層体上にスイッチ回路用のダイオードなどの素子を搭載することにより、ワンチップ化することができる。
【００１７】
本発明に係る第２実施例の回路ブロック図を図２に示す。この第２実施例は、分波回路をローパスフィルタ回路とハイパスフィルタ回路とから構成し、第１の送受信系用にローパスフィルタ回路を、第２の送受信系用にハイパスフィルタ回路を用いている。そして、第１の送受信系では、スイッチ回路ＳＷにより、送信回路ＴＸと受信回路ＲＸを切り換えている。また第２の送受信系では、スイッチ回路ＳＷにより、送信回路ＴＸと受信回路ＲＸを切り換え、その送信系に他のローパスフィルタ回路が設けられている。
【００１８】
本発明に係る第３実施例の回路ブロック図を図３に示す。この第３実施例は、分波回路をノッチフィルタ回路とバンドパスフィルタ回路とから構成し、第１の送受信系用にノッチフィルタ回路を、第２の送受信系用にバンドパスフィルタ回路を用いている。そして、第１の送受信系では、スイッチ回路ＳＷにより、送信回路ＴＸと受信回路ＲＸを切り換え、その送信系に他のローパスフィルタ回路が設けられている。また第２の送受信系では、スイッチ回路ＳＷにより、送信回路ＴＸと受信回路ＲＸを切り換えている。
【００１９】
本発明に係る第４実施例の回路ブロック図を図４に示す。この第４実施例は、分波回路をローパスフィルタ回路とバンドパスフィルタ回路とから構成し、第１の送受信系用にローパスフィルタ回路を、第２の送受信系用にバンドパスフィルタ回路を用いている。そして、第１の送受信系では、スイッチ回路ＳＷにより、送信回路ＴＸと受信回路ＲＸを切り換えている。また第２の送受信系では、スイッチ回路ＳＷにより、送信回路ＴＸと受信回路ＲＸを切り換えている。
【００２０】
本発明に係る第５実施例の回路ブロック図を図５に示す。この第５実施例は、分波回路を２つのノッチフィルタ回路で構成している。そして、第１の送受信系では、スイッチ回路ＳＷにより、送信回路ＴＸと受信回路ＲＸを切り換え、その送信系に他のローパスフィルタ回路が設けられている。また第２の送受信系では、スイッチ回路ＳＷにより、送信回路ＴＸと受信回路ＲＸを切り換え、その送信系に他のローパスフィルタ回路が設けられている。
【００２１】
本発明に係る第６実施例の回路ブロック図を図６に示す。この第６実施例は、分波回路をノッチフィルタ回路とハイパスフィルタ回路とから構成し、第１の送受信系用にノッチフィルタ回路を、第２の送受信系用にハイパスフィルタ回路を用いている。そして、第１の送受信系では、スイッチ回路ＳＷにより、送信回路ＴＸと受信回路ＲＸを切り換え、その送信系に他のローパスフィルタ回路が設けられている。また第２の送受信系では、スイッチ回路ＳＷにより、送信回路ＴＸと受信回路ＲＸを切り換え、その送信系に他のローパスフィルタ回路が設けられている。
【００２２】
本発明に係る第７実施例の回路ブロック図を図７に示す。この第７実施例は、分波回路を２つのバンドパスフィルタ回路で構成している。そして、第１の送受信系では、スイッチ回路ＳＷにより、送信回路ＴＸと受信回路ＲＸを切り換えている。また第２の送受信系では、スイッチ回路ＳＷにより、送信回路ＴＸと受信回路ＲＸを切り換えている。
【００２３】
本発明に係る第８実施例の回路ブロック図を図８に示す。この第８実施例は、分波回路をバンドパスフィルタ回路とノッチフィルタ回路とから構成し、第１の送受信系用にバンドパスフィルタ回路を、第２の送受信系用にノッチフィルタ回路を用いている。そして、第１の送受信系では、スイッチ回路ＳＷにより、送信回路ＴＸと受信回路ＲＸを切り換えている。また第２の送受信系では、スイッチ回路ＳＷにより、送信ＴＸと受信ＲＸを切り換え、その送信系に他のローパスフィルタ回路が設けられている。
【００２４】
本発明に係る第９実施例の回路ブロック図を図９に示す。この第９実施例は、分波回路をバンドパスフィルタ回路とハイパスフィルタ回路とから構成し、第１の送受信系用にバンドパスフィルタ回路を、第２の送受信系用にハイパスフィルタ回路を用いている。そして、第１の送受信系では、スイッチ回路ＳＷにより、送信回路ＴＸと受信回路ＲＸを切り換えている。また第２の送受信系では、スイッチ回路ＳＷにより、送信回路ＴＸと受信回路ＲＸを切り換え、その送信系に他のローパスフィルタ回路が設けられている。
【００２５】
本発明の分波回路は、ノッチフィルタ回路、ローパスフィルタ回路、ハイパスフィルタ回路、バンドパスフィルタ回路を組み合わせている。これらの回路は、インダクタ成分とコンデンサ成分の組み合わせにより構成することができる。また、適宜付加されるローパスフィルタ回路も同様である。そして、これらのフィルタ回路は、低温焼成が可能なセラミック誘電体材料からなるグリーンシート上に、例えばＡｇを主体とする導電ペーストを印刷して、所望の電極パターンを形成し、それを適宜積層し、一体焼成させて構成される積層構造にて構成することができる。
【００２６】
また本発明のスイッチ回路ＳＷは、ダイオード、伝送線路、コンデンサなどの組み合わせにより、構成することができる。このスイッチ回路ＳＷも上記各種フィルタ回路同様に、伝送線路を積層体内に構成し、積層体上にダイオードを搭載して構成することが可能である。またコンデンサは、積層体内に構成することもできるし、積層体上に搭載することもできる。
【００２７】
そして、本発明の高周波スイッチモジュールは、電極パターンの形成された誘電体グリーンシートを適宜積層し一体焼成した積層体と、該積層体上に配置されたダイオード、チップコンデンサなどのチップ素子とから構成し、ワンチップ化を達成することができる。このとき、積層体内には、上記のフィルタ回路及びスイッチ回路の伝送線路が形成される。このワンチップ化することにより、スイッチ回路、ローパスフィルタ回路、分波回路のそれぞれの回路素子を基板に搭載し、接続する場合に対し、素子間の整合回路が不要となり、部品点数の削減、工数低減を図ることができる。
【００２８】
また本発明に係る第５実施例を構成するための一例の等価回路図を図１０に示す。この実施例の等価回路図は、第１の送受信系としてＧＳＭを、第２の送受信系としてＤＣＳを用いている。そして、このＧＳＭとＤＣＳの２つのシステムとアンテナとを接続するアンテナスイッチモジュールとなっている。アンテナＡＮＴに接続される分波器部分は、２つのノッチ回路が主回路となっている。つまり、インダクタＬＦ１とコンデンサＣＦ１で一つのノッチ回路を構成し、インダクタＬＦ２とコンデンサＣＦ２でもう一つのノッチ回路を構成している。そして、一つのノッチ回路には、アースに接続されるコンデンサＣＦ３が接続されている。このコンデンサＣＦ３は、分波特性のローパスフィルタ特性を向上させる目的で接続されている。また、もう一つのノッチ回路には、アースに接続されるインダクタＬＦ３と、コンデンサＣＦ４を直列に接続している。このインダクタＬＦ３とコンデンサＣＦ４は、分波特性のハイパスフィルタ特性を向上させる目的で接続されている。この分波回路は、２つのノッチ回路のみでも良い。
【００２９】
次に、第１のスイッチ回路について説明する。第１のスイッチ回路は、図１０上側のスイッチ回路であり、ＧＳＭ系の送信回路ＴＸと受信回路ＲＸを切り換えるものである。このスイッチ回路ＳＷは、２つのダイオードＤＧ１、ＤＧ２と、２つの伝送線路ＬＧ１、ＬＧ２からなり、ダイオードＤＧ１はアンテナＡＮＴ側にアノードが接続され、送信回路ＴＸ側にカソードが接続され、そのカソード側にアースに接続される伝送線路ＬＧ１が接続されている。そして、アンテナ側と受信回路ＲＸ間に伝送線路ＬＧ２が接続され、その受信側にカソードが接続されたダイオードＤＧ２が接続され、そのダイオードＤＧ２のアノードには、アースとの間にコンデンサＣＧ６が接続され、その間に抵抗ＲＧ、インダクタＬＧの直列回路が接続され、コントロール回路ＶＣ１に接続される。
【００３０】
そして、送信ＴＸ回路側に挿入されるローパスフィルタ回路は、インダクタＬＧ３と、コンデンサＣＧ３、ＣＧ４、ＣＧ７から構成され、スイッチ回路ＳＷのダイオードＤＧ１と伝送線路ＬＧ１の間に挿入されている。
【００３１】
次に、第２のスイッチ回路について説明する。第２のスイッチ回路は、図１０下側のスイッチ回路であり、ＤＣＳ系の送信回路ＴＸと受信回路ＲＸを切り換えるものである。このスイッチ回路ＳＷは、２つのダイオードＤＰ１、ＤＰ２と、２つの伝送線路ＬＰ１、ＬＰ２からなり、ダイオードＤＰ１はアンテナＡＮＴ側にアノードが接続され、送信回路ＴＸ側にカソードが接続され、そのカソード側にアースに接続される伝送線路ＬＰ１が接続されている。そして、アンテナ側と受信回路ＲＸ間に伝送線路ＬＰ２が接続され、その受信側にカソードが接続されたダイオードＤＰ２が接続され、そのダイオードＤＰ２のアノードには、アースとの間にコンデンサＣＰ６が接続され、その間に抵抗ＲＰ、インダクタＬＰの直列回路が接続され、コントロール回路ＶＣ２に接続される。
【００３２】
そして、送信回路ＴＸ回路側に挿入されるローパスフィルタ回路は、インダクタＬＰ３と、コンデンサＣＰ３、ＣＰ４、ＣＰ７から構成され、スイッチ回路ＳＷのダイオードＤＰ１と伝送線路ＬＰ１の間に挿入されている。
【００３３】
次に、図１０に示した等価回路図を構成するための一実施例の平面図を図１１に、その実施例の積層体部分の斜視図を図１２に、その積層体の内部構造を図１３に示す。この実施例では、分波回路、ローパスフィルタ回路、スイッチ回路の伝送線路を積層体内に構成し、ダイオード、チップコンデンサをその積層体上に搭載して、ワンチップ化された高周波スイッチモジュールを構成したものである。
【００３４】
この積層体の内部構造について説明する。この積層体は、低温焼成が可能なセラミック誘電体材料からなるグリーンシートを用意し、そのグリーンシート上にＡｇを主体とする導電ペーストを印刷して、所望の電極パターンを形成し、それを適宜積層し、一体焼成させて構成される。
【００３５】
この内部構造を積層順に従って説明する。まず、下層のグリーンシート１１上には、アース電極３１がほぼ全面に形成されている。そして、側面に形成される端子電極８１、８３、８５、８７、８９、９１、９３、９４、９５に接続するための接続部が設けられている。
【００３６】
次に、電極パターンの印刷されていないダミーのグリーンシート１２を積層する。その上のグリーンシート１３には、３つのライン電極４１、４２、４３が形成され、その上のグリーンシート１４には、４つのライン電極４４、４５、４６、４７が形成されている。その上に、２つのスルーホール電極（図中丸に十字の印を付けたものがスルーホール電極である）が形成されたグリーンシート１５を積層し、その上に、アース電極３２が形成されたグリーンシート１６が積層される。
【００３７】
この２つのアース電極３１、３２に挟まれた領域に形成されたライン電極は適宜接続され、第１及び第２のスイッチ回路ＳＷ用の伝送線路を形成している。ライン電極４２と４６はスルーホール電極で接続され、等価回路の伝送線路ＬＧ１を構成し、ライン電極４１と４５はスルーホール電極で接続され、等価回路の伝送線路ＬＧ２を構成し、ライン電極４３と４７はスルーホール電極で接続され、等価回路の伝送線路ＬＰ１を構成し、ライン電極４４は等価回路の伝送線路ＬＰ２を構成している。
【００３８】
グリーンシート１６の上に積層されるグリーンシート１７には、コンデンサ用の電極６１、６２、６３、６４、６５、６６が形成されている。その上に積層されるグリーンシート１８にもコンデンサ用の電極６７、６８、６９、７０が形成されている。その上に積層されるグリーンシート１９には、コンデンサ電極７１が形成されている。
【００３９】
更にその上には、ライン電極４８、４９が形成されたグリーンシート２０が積層され、その上に、ライン電極５０、５１、５２、５３、５４、５５が形成されたグリーンシート２１が積層される。そして、最上部のグリーンシート２２には、搭載素子接続用のランド２３、２４、２５、２６、２７、２８、２９、３３、３４、３５、３６、３７が形成されている。
【００４０】
上側のアース電極３２が形成されたグリーンシート１６の上に積層されたグリーンシート１７のコンデンサ用電極の６１、６２、６３、６４、６５は、アース電極３２との間で容量を形成し、コンデンサ用電極６１は、等価回路のＣＧ４を、コンデンサ用電極６２は、等価回路のＣＧ３を、コンデンサ用電極６３は、等価回路のＣＰ４を、コンデンサ用電極６４は、等価回路のＣＰ３を、コンデンサ用電極６５は、等価回路のＣＦ３を構成している。
【００４１】
またグリーンシート１７、１８、１９に形成されたコンデンサ電極は互の間で容量を形成し、コンデンサ電極６６と７０の間で、等価回路のＣＦ４を構成し、同様にコンデンサ電極６４と６９の間で、等価回路のＣＰ７を構成し、コンデンサ電極６２と６７の間で、等価回路のＣＧ７を構成し、コンデンサ電極７０と７１の間で、等価回路のＣＦ２を構成し、コンデンサ電極６８と７１の間で、等価回路のＣＦ１を構成している。
【００４２】
またグリーンシート２０、２１では、ライン電極４８、５５が等価回路のＬＦ１を構成し、ライン電極５４、５６が等価回路のＬＦ２を構成し、ライン電極４９、５３が等価回路のＬＦ３を構成し、ライン電極５０が等価回路のＬＧ３を構成し、ライン電極５２が等価回路のＬＰ３を構成している。なお、ライン電極５１はＤＣラインである。
【００４３】
これらのグリーンシートを圧着し、一体焼成して積層体を得た。この積層体の側面に端子電極８１、８２、８３、８４、８５、８６、８７、８８、８９、９０、９１、９２、９３、９４、９５、９６を形成した。この外観図を図１２に示す。
【００４４】
この積層体の上に、ダイオードＤＧ１、ＤＧ２、ＤＰ１、ＤＰ２、チップコンデンサＣＧ１、ＣＧ６、ＣＰ１、ＣＰ６を搭載した。また、チップインダクタＬＰ４、チップコンデンサＣＰ８を搭載しているが、このＬＣ直列回路は、搭載しなくとも良い。図１１に、この搭載素子を搭載した様子を示す平面図を示す。また、図１１に、この高周波スイッチモジュールの実装構成を合わせて示す。
【００４５】
この実施例によれば、第１及び第２のスイッチ回路の伝送線路を積層体内に形成する際に、アース電極で挟まれた領域内に配置している。これにより、スイッチ回路と分波回路、ローパスフィルタ回路との干渉を防いでいる。そして、このアース電極で挟まれた領域を積層体の下部に配置し、アース電位を取り易くしている。そして、アースとの間に接続されるコンデンサを構成する電極を、その上側のアース電極に対向させて形成している。
【００４６】
また、この伝送線路部分を積層体の下側に構成することにより、アース電極を積層体の下側に配置することができ、実装基板の影響を少なくすることができる。さらに、アース電極と対向させるコンデンサ形成用の容量電極をその次に配置し、上部にローパスフィルタ回路と分波回路のインダクタンス成分を配置することにより、インダクタンス成分をアース電極から離すことができ、短い伝送線路長で必要なインダクタンス値を得ることができる。これにより、高周波スイッチモジュールの小型化を図れる。
【００４７】
また、この実施例の積層体の側面に形成された端子電極において、アンテナＡＮＴ端子に対して積層体を２分した反対側に、ＧＳＭ系の送回路信ＴＸ端子、受信回路ＲＸ端子、ＤＣＳ系の送信回路ＴＸ端子、受信回路ＲＸ端子がそれぞれ形成されている。この高周波スイッチモジュールは、アンテナと送受信回路の間に配置されるので、この端子配置により、アンテナと高周波スイッチモジュール、及び送受信回路と高周波スイッチモジュールを最短の線路で接続することができ、余分な損失を防止できる。
【００４８】
さらに、その反対側において、その半分の片側に、ＧＳＭ系の送４３信ＴＸ回路端子、ＤＣＳ系の送信ＴＸ回路端子が形成され、もう一方の片側に、ＧＳＭ系の受信回路ＲＸ端子、ＤＣＳ系の受信回路ＲＸ端子が形成されている。２つの送信回路、２つの受信回路は、それぞれかたまって配置されるので、高周波スイッチモジュールの送信端子どうし、受信端子どうしを近くに配置して、最短経路での接続が可能となり、余分な損失を防止できる。
【００４９】
また、この実施例の積層体では、側面に形成されたアンテナＡＮＴ端子、ＧＳＭ系の送信回路ＴＸ端子、受信回路ＲＸ端子、ＤＣＳ系の送信回路ＴＸ端子、受信回路ＲＸ端子はいずれも、側面の周回方向で見た場合、各端子間にはアース端子が形成されており、各端子はアース端子で挟まれている。各入出力端子は、アース端子に挟まれた配置となっている。これにより、各端子間の信号の漏洩が遮断され、干渉が無くなり、信号端子間のアイソレーションが確実なものとなる。
【００５０】
また上記実施例の等価回路では、スイッチのコントロール電源端子をスイッチ毎に別々に設けているが、一つのコントロール電源端子として、２つのスイッチを制御するようにしても良い。
【００５１】
上記積層構造の実施例は、図５に示した第５実施例の回路ブロック図に対応するものであるが、図１〜図９に示した第１実施例から第９実施例の他の回路ブロック図に示す実施例を積層構造で構成することは、上記実施例の変形例として容易に構成することができる。例えば、インダクタ成分、コンデンサ成分の電極パターンを変更し、接続方法を変更することで可能である。
【００５２】
本発明の実施例によれば、例えば、デュアルバンド携帯電話において、２つのシステムと１つのアンテナを接続する部分に用いることができ、複数の回路構成をワンチップに構成することができる。このため、複数の回路素子を別々に搭載し、接続する方法に比較し、部品点数の削減、工数の削減、小型化などの利点を有する。
【００５３】
【発明の効果】
本発明によれば、デュアルバンド携帯電話などにおいて、極めて有益となる高周波スイッチモジュールを提供することができる。本発明によれば、この高周波スイッチモジュールを、積層構造を用いることにより、小型に、しかもワンチップに構成できるものである。これにより、デュアルバンド携帯電話などにおいて、機器の小型化に有効なものとなる。
【図面の簡単な説明】
【図１】本発明に係る第１実施例の回路ブロック図である。
【図２】本発明に係る第２実施例の回路ブロック図である。
【図３】本発明に係る第３実施例の回路ブロック図である。
【図４】本発明に係る第４実施例の回路ブロック図である。
【図５】本発明に係る第５実施例の回路ブロック図である。
【図６】本発明に係る第６実施例の回路ブロック図である。
【図７】本発明に係る第７実施例の回路ブロック図である。
【図８】本発明に係る第８実施例の回路ブロック図である。
【図９】本発明に係る第９実施例の回路ブロック図である。
【図１０】本発明に係る第５実施例の回路ブロック図の一例の等価回路図である。
【図１１】図１０に示した等価回路図を構成するための一実施例の平面図である。
【図１２】図１０に示した等価回路図を構成するための一実施例の積層体部分の斜視図である。
【図１３】図１０に示した等価回路図を構成するための一実施例の積層体の内部構造図である。
【符号の説明】
１１、１２、１３、１４、１５、１、１７、１８、１９、２０、２１、２２誘電体グリーンシート
３１、３２アース電極
４１、４２、４３、４４、４５、４６、４７、４８、４９、５０、５１、５２、５３、５４、５５、５６ライン電極
６１、６２、６３、６４、６５、６６、６７、６８、６９、７０、７１コンデンサ用電極
８１、８２、８３、８４、８５、８６、８７、８８、８９、９０、９１、９２、９３、９４、９５、９６端子電極
【図１】
2004007585.tif 000003
【図２】
2004007585.tif 000004
【図３】
2004007585.tif 000005
【図４】
2004007585.tif 000006
【図５】
2004007585.tif 000007
【図６】
2004007585.tif 000008
【図７】
2004007585.tif 000009
【図８】
2004007585.tif 000010
【図９】
2004007585.tif 000011
【図１０】
2004007585.tif 000012
【図１１】
2004007585.tif 000013
【図１２】
2004007585.tif 000014
【図１３】
2004007585.tif 000015